【事件の表示】
　特願２００３−４０２９１３「Ｘ線制御装置」拒絶査定不服審判事件〔平成１７年　６月２３日出願公開，特開２００５−１６０６９２〕について，次のとおり審決する。
【結　論】
　本件審判の請求は，成り立たない。
【理　由】
第１　手続の経緯　
　本願は，平成１５年１２月２日の出願であって，平成２１年７月２１日付けで拒絶査定がなされ，これに対して，同年１０月２８日に拒絶査定不服審判の請求がなされたものである。　
　　
第２　本願発明　
　本願の請求項１ないし４に係る発明は，平成２１年６月２９日付けの手続補正書により補正された明細書及び図面の記載からみて，その特許請求の範囲の請求項１ないし４に記載された事項により特定されるものであると認められ，その請求項１に係る発明は次のとおりである。　
　　
「【請求項１】　
　Ｘ線を被検体に照射するＸ線照射手段と被検体の透過Ｘ線像が投影される透過Ｘ線像受像手段とを有するＸ線撮像装置が別体で設置される外部装置類や必要に応じて設けられる付属装置類を作動させるための制御信号を通す複数個の信号ポートを備えたＸ線制御装置において，各信号ポートが通す制御信号の種類を信号ポートと対応付けて指定された信号種類指定情報を更新して記憶する信号種類記憶手段を備え，各信号ポートが信号種類記憶手段に記憶されている信号種類指定情報によって指定される種類の制御信号を通すことを特徴とするＸ線制御装置。」（以下「本願発明」という）　
　　
第３　引用刊行物の記載事項　
　原査定の拒絶の理由に引用され，本願出願日前に頒布された特開平８−２６６５２７号公報（以下「刊行物１」という）には，図面と共に次の事項が記載されている。（下線は当審が付与したものである）　
　　
（１−ア） 
「【請求項１】　
　
複数のユニットをシステム構成したＸ線装置であって，前記複数のユニットのうちの幾つかにマイクロプロセッサを搭載するとともに，前記複数のユニット間を相互接続して成るＸ線装置の制御システムにおいて，マイクロプロセッサと，このマイクロプロセッサに接続され，前記複数のユニットの各々の制御態様に対応して，マイクロプロセッサ同志の通信用ポートとユニットの制御信号用ポートとの双方又はいずれか一方を備えた複数のインターフェース回路とから成るシステムコントローラを設け，前記複数のユニットを前記システムコントローラ内の対応したインターフェース回路へ接続したことを特徴とするＸ線装置の制御システム。
　　
（１−イ）　
「【０００８】　
【作用】上記の如く構成された
Ｘ線装置の制御システムでは，各ユニット間の信号のやり取りは，システムコントローラ内に設けたマイクロプロセッサを中心にして行われる。このため，各ユニットの配線は全てシステムコントローラ内のインターフェース回路へ接続すれば良くなる。
　　
（１−ウ）　
「【００１０】　
　
図１において，１はシステムコントローラであり，このシステムコントローラ１に対して，Ｘ線高電圧制御器２，操作卓３，近接操作器９，画像処理装置４，寝台５，支持装置６，Ｉ.Ｉ７ ，Ｘ線管装置８，Ｘ線テレビカメラ１０，シネカメラ１１，フィルムチェンジャ１２，インジェクタ１３等のユニットの制御信号ラインが全て接続される。
【００１１】　
　
システムコントローラ１は各ユニットに対して図１のように接続され，各ユニットの求める情報を一元管理し，各ユニットから要求された情報を提供するとともに，必要に応じて各ユニットに情報を要求する。
【００１２】　
　システムコントローラ１は，マイクロプロセッサ１４ａと，各ユニットとのインターフェース回路１５ａ〜１５ｎから成る。（ここでｎは制御されるユニット数がｎ個であると仮定している。）インターフェース回路には，通信ポート単独のものと，信号ポート単独のものと，通信ポートと信号ポートを組み合わせたものとがあり，それらは適宜必要な数だけ備えられている。
【００１３】　
　ここで，通信ポート１６はマイクロプロセッサ同志の通信のみを行う専用ポートで，本例ではシステムコントローラ内のマイクロプロセッサ１４ａと画像処理装置４内のマイクロプロセッサ１４ｅ間の通信ラインへ設けられる。また，信号ポート１７は，例えば各ユニットのオン／オフ信号のような制御信号のやり取りを行う専用ポートである。
　
そして，これらの通信ポート１６と信号ポート１７から成るインターフェース回路１５ａ〜１５ｎは次のように使い分けられる。通信ポート１６と信号ポート１７から成るインターフェース回路１５ａは，マイクロプロセッサを搭載したユニットであって，リアルタイム性を有した信号や，緊急性を有した制御信号（装置の緊急停止信用）や，機械の制御信号を扱うユニットに対し設けられ，通信ポート１６のみを有したインターフェース回路１５ｂは上記の如くマイクロプロセッサ同志の通信のみを必要とする画像処理装置４に対して設けられ，信号ポート１７のみを有したインターフェース回路１５ｃはマイクロプロセッサを搭載していないユニット，例えば，Ｉ.Ｉ７ やインジェクタ１３に対して設けられる
【００１４】　
　次に，上記の如く構成されたＸ線装置の動作を説明する。先ず，被検体を寝台５の天板に横たえ，被検体の撮影部位に応じたＸ線透視条件及びＸ線撮影条件をＸ線高電圧制御器２へ設定する。これによってＸ線高電圧制御器２内のマイクロプロセッサ１４ｃは，設定されたＸ線管電圧，Ｘ線管電流を発生するためにＸ線高電圧回路へ与える制御信号を演算作成する。そしてＸ線放射指令の入力を待つ。　
【００１５】　
　
操作者は操作卓３の操作器を操作して被検者の撮影部位をＸ線管装置８とＸ線受像装置とを結ぶ直線上へ概略の位置合わせを行う。
【００１６】　
　
位置決めが行われた時点で操作者は被検体へ透視Ｘ線を照射するために，操作卓３の透視スイッチをオンする。この信号は操作卓３内のインターフェース回路とマイクロプロセッサ１４ｂを介してシステムコントローラ１内の信号ポート１７を有したインターフェース回路１５ｃを通じてマイクロプロセッサ１４ａへ送られ，同じインターフェース回路１５ｃからＸ線高電圧制御器２内のマイクロプロセッサ１４ｃ，インターフェース回路を介してＸ線高電圧回路を閉路して，Ｘ線管装置８から透視Ｘ線を放射させる。システムコントローラ１内のマイクロプロセッサ１４ａは透視Ｘ線Ｘ線放射指令の出力と同時に，Ｉ.Ｉ７ ，Ｘ線テレビカメラ１０，画像処理装置４等へ透視像の取得及び表示を行わせる信号を出力する。これらの画像の取得・表示のための信号は通信ポート１６を有したインターフェース回路を介して各ユニットへ出力される。
【００１７】　
　透視によって，撮影部位の位置決めが完了した後，操作者は透視像によって被検体を観察しながら，インジェクタ１３により被検体の血管内に造影剤を注入する。インジェクタ１３における造影剤の注入開始信号はシステムコントローラ１へ入力され，造影剤が撮影部位へ到達する時刻の推定や撮影開始時刻の設定に利用される。　
【００１８】　
　Ｘ線撮影は，操作者が透視像を観察していて造影剤が撮影部位へ流れ込んで来たことを確認し，操作卓３の撮影スイッチを操作して行う。撮影時の動作は前述の透視時の動作とほぼ同様にして行われる。　
【００１９】　
　以上，本発明の一実施例として循環器用Ｘ線装置を対象とした制御システムを説明したが，本発明は実施例に限定されることなく，種々のＸ線装置に適用可能であることは，当技術分野の通常の知識を有する者にとって容易に理解し得ると思われるので，それは省略する。　
【００２０】　
【発明の効果】　
　以上述べたように本発明によれば，システムコントローラ内にメインとなるマイクロプロセッサを設けるとともに，マイクロプロセッサ同志の通信用ポートとユニット間の制御信号用ポートとで成るインターフェース回路を設け，各ユニットを対応したインターフェース回路へ接続するようにしたので，ユニット間の接続配線が大幅に減少できる。また，システムコントローラ内のマイクロプロセッサにメインの機能を持たせたので，システムの拡張等を行う際にはシステムコントローラ内のマイクロプロセッサへ組み込まれたソフトウェアを変更するとともにインターフェース回路の増設で対応することが可能となる。」　
　　
　これらの記載事項と図面を総合すると，刊行物１には，以下の発明が記載されていると認められる。　
　　
「Ｘ線管装置とＸ線受像装置等のユニットを含むＸ線装置であって，前記複数のユニット間を相互接続して成るＸ線装置の制御システムにおいて，マイクロプロセッサと，このマイクロプロセッサに接続され，前記複数のユニットの各々の制御態様に対応して，マイクロプロセッサ同志の通信用ポートとユニットの制御信号用ポートとの双方又はいずれか一方を備えた複数のインターフェース回路とから成るシステムコントローラを設け，前記複数のユニットを前記システムコントローラ内の対応したインターフェース回路へ接続し，前記システムコントローラは，各ユニットの求める情報を一元管理し，各ユニットから要求された情報を提供するとともに，必要に応じて各ユニットに情報を要求するＸ線装置の制御システム。」（以下「引用発明」という）　
　　
第４　本願発明と引用発明との対比　
１　その機能・構造からみて，引用発明の「Ｘ線管装置」，「Ｘ線受像装置」，「Ｘ線装置」が，それぞれ，本願発明の「Ｘ線を被検体に照射するＸ線照射手段」，「被検体の透過Ｘ線像が投影される透過Ｘ線像受像手段」，「Ｘ線撮像装置」に相当することは明らかである。　
２　引用発明の「ユニット」，「通信用ポートと制御信号用ポート」，「Ｘ線装置の制御システム」が，それぞれ，本願発明の「別体で設置される外部装置類」，「信号ポート」，「Ｘ線制御装置」に相当することは明らかである。そうすると，引用発明の「マイクロプロセッサと，このマイクロプロセッサに接続され，前記複数のユニットの各々の制御態様に対応して，マイクロプロセッサ同志の通信用ポートとユニットの制御信号用ポートとの双方又はいずれか一方を備えた複数のインターフェース回路とから成るシステムコントローラを設け，前記複数のユニットを前記システムコントローラ内の対応したインターフェース回路へ接続し，・・・Ｘ線装置の制御システム」が，本願発明の「別体で設置される外部装置類や必要に応じて設けられる付属装置類を作動させるための制御信号を通す複数個の信号ポートを備えたＸ線制御装置」に相当する。　
３　上記（１−ウ）の【００１５】の「操作器から入力した信号はマイクロプロセッサ１４ｂを介して，支持装置６と寝台５の各マイクロプロセッサ１４ｄ，１４ｅへ送られるようになっているが，操作器からの入力信号には，支持装置６と寝台５の移動のオン／オフに関するものと，支持装置６と寝台５の移動量や回転角度量の制御に関するものがある。これらのうち，
前者は信号ポート１７を介して，また後者は通信ポート１６を介して，すなわち，信号ポート１７と通信ポート１６とを有したインターフェース回路を介してマイクロプロセッサ１４ａへ入力され，マイクロプロセッサ１４ａへ組み込まれたソフトウェアの下で，マイクロプロセッサ１４ｂと１４ｄ，１４ｅ間の信号のやり取りが行われる。
　　
　そうすると，両者は，　
（一致点）　
「Ｘ線を被検体に照射するＸ線照射手段と被検体の透過Ｘ線像が投影される透過Ｘ線像受像手段とを有するＸ線撮像装置が別体で設置される外部装置類や必要に応じて設けられる付属装置類を作動させるための制御信号を通す複数個の信号ポートを備えたＸ線制御装置において，各信号ポートが通す制御信号の種類を信号ポートと対応付けて指定された信号種類指定情報を記憶する信号種類記憶手段を備え，各信号ポートが信号種類記憶手段に記憶されている信号種類指定情報によって指定される種類の制御信号を通すＸ線制御装置。」　
である点で一致し，以下の点で相違するといえる。　
　　
（相違点）　
　信号種類記憶手段が，本願発明では「更新して記憶する」のに対して，引用発明では，更新して記憶するのか明らかではない点。　
　　
第５　相違点についての当審の判断　
　上記（１−ウ）の【００１３】の「システムを拡張する際には，付加したユニット又は機能に応じて，マイクロプロセッサ１４ａ内のソフトウェアの改良とインターフェース回路の追加で対応することができるようになっている。」との記載からみて，マイクロプロセッサ１４ａは，付加したユニット又は機能に応じた制御信号を信号ポートに対応つけて指定することにより，追加したインターフェース回路が接続された信号ポートを前記制御信号が通るようにすことは明らかである。　
　そして，付加したユニット又は機能に応じた新たな制御信号を信号種類記憶手段に記憶させることは技術常識に過ぎず，この，新たな制御信号を信号種類記憶手段に記憶させることは，「各信号ポートが通す制御信号の種類を信号ポートと対応付けて指定された信号種類指定情報を更新して記憶する」ことを意味しているといえる。　
　そうすると，引用発明において，相違点に係る本願発明の構成とすることは当業者であれば容易に想到し得るというべきである。　
　　
　さらに，本願発明に係る効果も，刊行物１に記載された事項から予測し得る範囲内であり，格別顕著なものであるとはいえない。　
　　
第６　むすび　
　以上のとおり，本願発明は，刊行物１に記載された発明に基づいて，当業者が容易に発明をすることができたものであり，特許法第２９条第２項の規定により特許を受けることができない。　
　したがって，本願は，他の請求項に係る発明について検討するまでもなく拒絶すべきものである。　
　よって，結論のとおり審決する。